(57)【要約】【課題】感染症が流行したときに病原体が建物や部屋の中に侵入するのを防止する。【解決手段】入場管理システム１において、ＩＣタグ２は、社員証に内蔵され、当該ＩＣタグ２に固有のタグＩＤを記憶し、送信する。管理サーバ３は、内部領域ＩＡ内に設置され、他からのメッセージ等に応じてゲートを通過可能又は不可のメッセージを各アンテナに送信する。各アンテナは、固有のアンテナＩＤを記憶し、ＩＣタグ２が接近すると、そのタグＩＤを受信し、アンテナＩＤとともに管理サーバ３に送信し、管理サーバ３からのメッセージに応じて各ゲートを開放する。赤外線カメラＣ１は、人の体温を測定し、管理サーバ３に体温データを送信する。画像認識用カメラＣ２は、人の顔画像データを取得し、マスクの有無を判定し、その判定結果を管理サーバ３に送信する。洗面台Ｗは、人に手洗いをさせるための設備であり、手洗い済のメッセージを管理サーバ３に送信する。【選択図】図１
2010128976.tif 000002
【特許請求の範囲】
【請求項１】
建物や部屋の入口に設置され、指示に応じて開閉するゲートと、
前記入口の外側から前記ゲートに接近する人の体温を測定する赤外線カメラと、
前記赤外線カメラにより測定された前記人の体温が所定値未満の場合にのみ、前記ゲートに開放を指示する制御手段と、
を備えることを特徴とする入場管理システム。
【請求項２】
請求項１に記載の入場管理システムであって、
前記入口の外側に設置され、水及び石鹸水を供給する手洗い設備
をさらに備え、
前記制御手段は、前記人の体温が所定値未満であり、かつ、前記手洗い設備により所定時間以上継続して水及び石鹸水が供給された場合にのみ、前記ゲートに開放を指示する
ことを特徴とする入場管理システム。
【請求項３】
請求項２に記載の入場管理システムであって、
前記人がマスクを着用しているか否かを判定するマスク着用判定手段
をさらに備え、
前記制御手段は、前記人の体温が所定値未満であり、前記手洗い設備により所定時間以上継続して水及び石鹸水が供給され、かつ、前記人がマスクを着用していると判定された場合にのみ、前記ゲートに開放を指示する
ことを特徴とする入場管理システム。
【請求項４】
請求項１に記載の入場管理システムであって、
前記人がマスクを着用しているか否かを判定するマスク着用判定手段
をさらに備え、
前記制御手段は、前記人の体温が所定値未満であり、かつ、前記人がマスクを着用していると判定された場合にのみ、前記ゲートに開放を指示する
ことを特徴とする入場管理システム。
【発明の詳細な説明】
【技術分野】
【０００１】
本発明は、感染症が流行したときに建物や部屋に入室する人を制限する入場管理システムに関する。
【背景技術】
【０００２】
新型インフルエンザ等の感染症が爆発的に流行したとき、企業においては欠勤者が増加し、事業の継続が困難になる可能性がある。そのような状況（パンデミック＝感染爆発、汎発流行）に対応するために、企業の事業継続計画（ＢＣＰ：Business Continuity Plan）に基づく事前の措置として、建物内に病原体を持ち込まないようにすることが重要になる。
【特許文献１】特開２００８−１９８０７７号公報
【特許文献２】特開２００８−１７６７６６号公報
【発明の開示】
【発明が解決しようとする課題】
【０００３】
しかしながら、建物の入口で感染者であるか否かを識別することは困難だった。また、感染者として確認できないので、建物に入ることを許可された人に対して予防の措置をとることがなかった。このため、建物内に病原体が侵入するおそれがあった。
【０００４】
なお、特許文献１には、関係者と部外者との識別を行うことのできる入退室管理システムが開示されているが、病原体の感染防止を考慮したものではない。また、特許文献２には、手指の衛生を監視できるシステムが開示されているが、病原体の侵入防止を考慮したものではない。
【０００５】
本発明は、上記課題を鑑みてなされたものであり、その主たる目的は、感染症が流行したときに病原体が建物や部屋の中に侵入するのを防止することにある。
【課題を解決するための手段】
【０００６】
上記課題を解決するために、本発明は、入場管理システムであって、建物や部屋の入口に設置され、指示に応じて開閉するゲートと、前記入口の外側から前記ゲートに接近する人の体温を測定する赤外線カメラと、前記赤外線カメラにより測定された前記人の体温が所定値未満の場合にのみ、前記ゲートに開放を指示する制御手段と、を備えることを特徴とする。  
この構成によれば、病原体に感染したおそれのある高熱の人の入場を禁止できるので、病原体が建物や部屋の中に侵入するのを防止することができる。
【０００７】
また、本発明は、入場管理システムであって、前記入口の外側に設置され、水及び石鹸水を供給する手洗い設備をさらに備え、前記制御手段が、前記人の体温が所定値未満であり、かつ、前記手洗い設備により所定時間以上継続して水及び石鹸水が供給された場合にのみ、前記ゲートに開放を指示することを特徴とする。  
この構成によれば、高熱がなく、かつ、所定時間以上継続して供給される水及び石鹸水により手洗いをした人だけを入場させるので、病原体が建物や部屋の中に侵入するのを防止することができる。
【０００８】
また、本発明は、入場管理システムであって、前記人がマスクを着用しているか否かを判定するマスク着用判定手段をさらに備え、前記制御手段が、前記人の体温が所定値未満であり、前記手洗い設備により所定時間以上継続して水及び石鹸水が供給され、かつ、前記人がマスクを着用していると判定された場合にのみ、前記ゲートに開放を指示することを特徴とする。  
この構成によれば、高熱がなく、手洗いを済ませ、かつ、マスクを着用している人だけを入室させるので、病原体の広がりを抑止することができる。
【０００９】
また、本発明は、入場管理システムであって、前記人がマスクを着用しているか否かを判定するマスク着用判定手段をさらに備え、前記制御手段が、前記人の体温が所定値未満であり、かつ、前記人がマスクを着用していると判定された場合にのみ、前記ゲートに開放を指示することを特徴とする。  
この構成によれば、高熱がなく、かつ、マスクを着用している人だけを入室させるので、病原体の広がりを抑止することができる。
【００１０】
その他、本願が開示する課題及びその解決方法は、発明を実施するための最良の形態の欄、及び図面により明らかにされる。
【発明の効果】
【００１１】
本発明によれば、感染症が流行したときに病原体が建物や部屋の中に侵入するのを防止することにある。これによれば、感染症が建物内に広がるのを阻止することができ、事業を継続することができる。
【発明を実施するための最良の形態】
【００１２】
以下、図面を参照しながら、本発明を実施するための最良の形態を説明する。本発明の実施の形態に係る入場管理システムは、企業の建物や部屋の入口において、体温、手洗い及びマスクの有無により、入場者を選別する。すなわち、この３つの条件をチェックし、各条件がそろった者に対してゲートが開くようにする。なお、各条件のチェックは、１人ずつ個別に行われることを前提とする。
【００１３】
以上によれば、感染症が疑われる者の入場を阻止することができ、事業を継続できる。
【００１４】
≪システムの構成と概要≫
図１は、入場管理システム１の構成を示す図である。入場管理システム１が適用される建物は、内部に第１中間領域ＭＡ１、第２中間領域ＭＡ２及び内部領域ＩＡを有する。第１中間領域ＭＡ１は、外部からゲートＧ１を通過して入る領域であり、当該建物の会社に所属する社員がいることができる領域である。第２中間領域ＭＡ２は、第１中間領域ＭＡ１からゲートＧ２を通過して入る領域であり、当該社員のうち、熱のない人がいることができる領域である。内部領域ＩＡは、第２中間領域ＭＡ２からゲートＧ４を通過して入る領域であり、当該社員のうち、熱がなく、手洗いをし、マスクを着用している人がいることができる領域であり、例えば、会社のオフィスである。
【００１５】
各領域間には、ゲートＧ１〜Ｇ６が設けられる。ゲートＧ１は、外部から第１中間領域ＭＡ１への入館ゲートである。ゲートＧ２は、第１中間領域ＭＡ１から第２中間領域ＭＡ２への通過ゲートである。ゲートＧ３は、第１中間領域ＭＡ１から外部への退館ゲートである。ゲートＧ４は、第２中間領域ＭＡ２から内部領域ＩＡへの通過ゲートである。ゲートＧ５は、第２中間領域ＭＡ２から外部への退館ゲートである。ゲートＧ６は、内部領域ＩＡから外部への退館ゲートである。社員は、問題がなければ、ゲートＧ１を通じて外部から第１中間領域ＭＡ１に入館し、ゲートＧ２を通じて第１中間領域ＭＡ１から第２中間領域ＭＡ２へ進み、ゲートＧ４を通じて第２中間領域ＭＡ２から内部領域ＩＡに入室する。このように一方通行にすることによって、できるだけ人同士の接近を防いで、病原体の感染を極力抑えるようにしている。
【００１６】
入場管理システム１は、ＩＣタグ２、管理サーバ３、アンテナＡ１〜Ａ６及びＡＷ、赤外線カメラＣ１、画像認識用カメラＣ２、表示板Ｄ１〜Ｄ４、洗面台Ｗを備える。ＩＣタグ２は、社員が営業日には常時携帯する社員証に内蔵され、当該ＩＣタグ２に固有のタグＩＤを記憶し、送信するタグであり、アクティブタグが通常用いられるが、ＩＣカードでも代用可能である。管理サーバ３は、内部領域ＩＡ内に設置され、入場管理システム１全体を管理するサーバであり、アンテナＡ１〜Ａ６及びＡＷ、赤外線カメラＣ１、画像認識用カメラＣ２、洗面台Ｗと有線又は無線により通信可能である。
【００１７】
アンテナＡ１〜Ａ６及びＡＷは、それぞれ固有のアンテナＩＤを記憶する。そして、ＩＣタグ２が接近すると、そのタグＩＤを受信し、アンテナＩＤとともに管理サーバ３に送信する。その後、管理サーバ３から応答メッセージを受信し、その応答メッセージに応じて各ゲートを開放したり、各表示板に所定のメッセージを表示したりする。アンテナＡ１〜Ａ６は、それぞれゲートＧ１〜Ｇ６に設置される。アンテナＡＷは、洗面台Ｗに設置される。
【００１８】
赤外線カメラＣ１は、第１中間領域ＭＡ１において、ゲートＧ１と、ゲートＧ２との中間地点に向けて設置され、その中間地点付近を通過する人の体温を測定し、体温データを管理サーバ３に送信する。画像認識用カメラＣ２は、第２中間領域ＭＡ２において、洗面台Ｗと、ゲートＧ４との中間地点に向けて設置され、その中間地点付近を通過する人の顔画像データを取得し、マスクの有無を判定し、その判定結果を管理サーバ３に送信する。
【００１９】
なお、赤外線カメラＣ１と、画像認識用カメラＣ２とを一体化してもよい。この場合、人の体温と顔画像（マスク着用）のチェックを同時に行うことができる。また、画像認識用カメラＣ２は、建物内に常設されている監視カメラにより代用してもよい。
【００２０】
表示板Ｄ１〜Ｄ４は、それぞれゲートＧ１とＧ２、洗面台Ｗ及びゲートＧ４に設置され、各領域にいる人に対して所定のメッセージを表示する。なお、表示板の代わりに、スピーカを設置し、音声で所定のメッセージを伝達するようにしてもよい。洗面台Ｗは、第２中間領域ＭＡ２において、ゲートＧ２と対向する位置に設置され、第２中間領域ＭＡ２に入って来た人に手洗いをさせるための設備である。そして、手洗いをしたことを示すメッセージを管理サーバ３に送信する。
【００２１】
図２は、洗面台Ｗの構成を示す図である。図２（ａ）は、洗面台Ｗの正面図を示す。図２（ｂ）は、洗面台Ｗの側面図を示す。洗面台Ｗは、垂直方向の上方に照明器具Ｗ１、中央に鏡Ｗ２、下方にカウンタＷ３を備え、それぞれを支持部材Ｗ６が支持する。照明器具Ｗ１は、手洗いを行う際に手元を照らすものである。照明器具Ｗ１の上面にアンテナＡＷが設置され、照明器具Ｗ１の前面に表示板Ｄ３が設けられる。鏡Ｗ２は、手洗いを行う人の姿を映すものである。
【００２２】
カウンタＷ３は、手洗いを行うためのものであり、洗面ボールを含む。カウンタＷ３の奥側には、石鹸水供給栓Ｗ４及び水栓Ｗ５が立設される。石鹸水供給栓Ｗ４は、手をかざすと自動で石鹸水を出すものであり、蛇口Ｗ４１及びセンサＷ４２を備える。蛇口Ｗ４１は、石鹸水の供給口である。センサＷ４２は、赤外線により人の手の存在を検知し、蛇口Ｗ４１から石鹸水を出すように制御するものである。水栓Ｗ５は、手をかざすと自動で水を出すものであり、蛇口Ｗ５１及びセンサＷ５２を備える。蛇口Ｗ５１は、水の供給口である。センサＷ５２は、赤外線により人の手の存在を検知し、蛇口Ｗ５１から水を出すように制御するものである。
【００２３】
なお、画像認識用カメラＣ２を鏡Ｗ２に一体化するように設け、鏡Ｗ２に顔を映す位置を示すようにしてもよい。この場合、洗面台Ｗで手洗いを行う人が当該位置に顔を合わせることにより、顔画像のデータがそのまま撮影できるので、人の手洗い及び顔画像（マスク着用）のチェックを同時に行うことができる。
【００２４】
図３は、画像認識用カメラＣ２が取得する人の顔の画像データを示す図である。図３（ａ）は、マスクを着用していない人の顔画像を示す。図３（ｂ）は、マスクを着用している人の顔画像を示す。画像認識用カメラＣ２又は管理サーバ３がマスクを着用しているか否かを判定する場合には、画像処理によって、予め登録されている顔画像（例えば、図３（ａ））と、そのとき取得した顔画像（例えば、図３（ｂ））とを比較し、その差分を抽出した結果、例えば、口のある位置の近傍に差分があり、その差分が輪郭の閉じた図形（すなわち、マスクの形）として認識できるか否かを判断する。それ以外にも、顔画像の下半分に差分があることを認識する、顔全体に対する差分（マスクの面積）の比率が所定の範囲内にあることを判定する、マスクの部分による光の反射率が所定の範囲内にあることを判定する等の方法が考えられる。
【００２５】
図４は、ＩＣタグ２のハードウェア構成を示す図である。ＩＣタグ２は、通信部２１、処理部２２及び記憶部２３を備える。通信部２１は、各アンテナと無線データ通信を行う部分であり、例えば、無線アンテナ等によって実現される。処理部２２は、各部間のデータの受け渡しを行うととともに、ＩＣタグ２全体の制御を行うものであり、ＣＰＵ（Central Processing Unit）が所定のメモリに格納されたプログラムを実行することによって実現される。記憶部２３は、処理部２２からデータ（例えば、タグＩＤ等）を記憶したり、記憶したデータを読み出したりするものであり、例えば、ＩＣメモリ等の不揮発性記憶媒体によって実現される。
【００２６】
図５は、管理サーバ３のハードウェア構成を示す図である。管理サーバ３は、通信部３１、表示部３２、入力部３３、処理部３４及び記憶部３５を備える。通信部３１は、無線又は有線により各アンテナやカメラ等とデータ通信を行う部分であり、例えば、ＮＩＣ（Network Interface Card）等によって実現される。表示部３２は、処理部３４からの指示によりデータを表示する部分であり、例えば、液晶ディスプレイ（ＬＣＤ：Liquid Crystal Display）等によって実現される。入力部３３は、オペレータがデータ（例えば、社員ＩＤ等のデータ）を入力する部分であり、例えば、キーボードやマウス等によって実現される。処理部３４は、各部間のデータの受け渡しを行うととともに、管理サーバ３全体の制御を行うものであり、ＣＰＵが所定のメモリに格納されたプログラムを実行することによって実現される。記憶部３５は、処理部３４からデータを記憶したり、記憶したデータを読み出したりするものであり、例えば、フラッシュメモリやハードディスク装置等の不揮発性記憶装置によって実現される。
【００２７】
≪データの構成≫
図６は、管理サーバ３の記憶部３５に記憶されるデータの構成を示す図である。記憶部３５は、社員データ３５Ａを記憶する。社員データ３５Ａは、建物に入館することを許可された社員に関するデータであり、社員ＩＤ３５Ａ１、顔画像データ３５Ａ２、認証フラグ３５Ａ３、体温フラグ３５Ａ４、手洗いフラグ３５Ａ５及びマスクフラグ３５Ａ６を含むレコードからなる。社員ＩＤ３５Ａ１は、当該社員に固有のＩＤであり、当該社員が携帯するＩＣタグ２のタグＩＤと一致する。顔画像データ３５Ａ２は、当該社員の顔の画像データであり、マスクを着用していない顔の画像データが用いられる。社員ＩＤ３５Ａ１及び顔画像データ３５Ａ２は、予め登録されているものとする。
【００２８】
認証フラグ３５Ａ３は、当該社員は登録済であることが認証されたことを示すフラグであり、当該社員がゲートＧ１を通じて入館したときにオンに設定される。体温フラグ３５Ａ４は、当該社員の体温がＯＫであることを示すフラグであり、当該社員の体温が所定温度（例えば、３８度）未満であるときにオンに設定される。手洗いフラグ３５Ａ５は、当該社員が手洗い済であることを示すフラグであり、当該社員が洗面台Ｗにおいて所定時間以上手洗いを実施したときにオンに設定される。マスクフラグ３５Ａ６は、当該社員がマスクを着用していることを示すフラグであり、画像認識用カメラＣ２又は管理サーバ３が当該社員がマスクを着用していると判断したときに設定される。
【００２９】
≪システムの処理≫
図７〜図９は、入場管理システム１の処理を示すフローチャートである。入場管理システム１においては、ＩＣタグ２を携帯した社員が建物の各領域を移動するのに伴って、建物の各箇所に設置されたアンテナがタグＩＤを受信し、管理サーバ３に送信することがトリガとなって、各ゲートの開放や各表示板の表示等を制御する処理が行われる。管理サーバ３は、各アンテナから受信したアンテナＩＤ（アンテナの設置された位置に相当する）に応じた処理、換言すれば、ＩＣタグ２を携帯した社員のいる領域に応じた処理を行う。
【００３０】
図７は、アンテナＡ１及びＡ２に係る入場管理システム１の処理を示す。まず、アンテナＡ１は、外部からゲートＧ１に接近する人のＩＣタグ２からタグＩＤを受信し、そのタグＩＤをアンテナＩＤとともに管理サーバ３に送信する（Ｓ７０１）。
【００３１】
管理サーバ３は、アンテナＡ１からタグＩＤ及びアンテナＩＤを受信する（Ｓ７０２）。アンテナＩＤによりゲートＧ１に設置されたアンテナＡ１から受信したことが分かるので、認証処理を行う。すなわち、受信したタグＩＤが記憶部３５の社員データ３５Ａのうち、社員ＩＤ３５Ａ１として記憶されているか否かを検索する（Ｓ７０３）。
【００３２】
当該タグＩＤが記憶されていれば（Ｓ７０３のＹ）、当該タグＩＤが予め登録されていることになるので、管理サーバ３は、当該タグＩＤを認証する旨のメッセージをアンテナＡ１に送信する（Ｓ７０４）。そして、記憶部３５の社員データ３５Ａのうち、当該社員ＩＤ３５Ａ１に対応する認証フラグ３５Ａ３を設定する（Ｓ７０５）。アンテナＡ１は、管理サーバ３から認証メッセージを受信し（Ｓ７０６）、ゲートＧ１を開放するように、例えば、自動ドアの制御装置に指示する（Ｓ７０７）。これにより、タグＩＤの認証された社員だけがゲートＧ１を通って第１中間領域ＭＡ１に入館することができ、第１中間領域ＭＡ１、第２中間領域ＭＡ２及び内部領域ＩＡには、社員だけが存在することになる。
【００３３】
一方、当該タグＩＤが記憶されていなければ（Ｓ７０３のＮ）、当該タグＩＤが対象外ということになるので、管理サーバ３は、当該タグＩＤを認証しない旨のメッセージをアンテナＡ１に送信する（Ｓ７０８）。アンテナＡ１は、管理サーバ３から非認証メッセージを受信し（Ｓ７０９）、ゲートＧ１に設けられた表示板Ｄ１に入館不可のメッセージを表示する（Ｓ７１０）。入館不可のメッセージは、例えば、「許可された社員以外の方は、入館できません。」といった内容である。
【００３４】
社員が第１中間領域ＭＡ１に入ると、赤外線カメラＣ１が当該社員の体温を測定し、その測定した体温を管理サーバ３に送信する。管理サーバ３は、赤外線カメラＣ１から体温を受信する（Ｓ７１１）とともに、アンテナＡ２から当該社員のタグＩＤを受信する。そして、体温が所定温度（例えば、３８度）以上か否かを判定する（Ｓ７１２）。この場合、所定温度は必ずしも固定ではなく、皮膚温度が外気温の影響を受けることを考慮し、判定基準となる温度の値を補正するテーブルを設け、そのテーブルを用いて実際の外気温により所定温度を補正してもよい。
【００３５】
所定温度以上でなければ（Ｓ７１２のＮ）、体温としては問題ない（高熱ではない）ので、管理サーバ３は、ゲートＧ２を通過できる旨のメッセージをアンテナＡ２に送信する（Ｓ７１３）。そして、記憶部３５の社員データ３５Ａのうち、当該社員ＩＤ３５Ａ１に対応する体温フラグ３５Ａ４を設定する（Ｓ７１４）。アンテナＡ２は、管理サーバ３から通過可能メッセージを受信し（Ｓ７１５）、ゲートＧ２を開放するように、例えば、自動ドアの制御装置に指示する（Ｓ７１６）。これにより、体温に問題のない社員がゲートＧ２を通って第２中間領域ＭＡ２に進入することができる。
【００３６】
一方、所定温度以上であれば（Ｓ７１２のＹ）、体温に問題がある（高熱がある）ので、管理サーバ３は、ゲートＧ２を通過できない旨のメッセージをアンテナＡ２に送信する（Ｓ７１７）。アンテナＡ２は、管理サーバ３から通過不可メッセージを受信し（Ｓ７１８）、ゲートＧ２に設けられた表示板Ｄ２に通過不可のメッセージを表示する（Ｓ７１９）。通過不可のメッセージは、例えば、「熱があるので、帰宅しましょう。」といった内容である。これにより、発熱している真性患者や疑似患者を建物から排除することができる。
【００３７】
図８は、アンテナＡＷに係る入場管理システム１の処理を示す。まず、アンテナＡＷは、第２中間領域ＭＡ２において、洗面台Ｗに接近する社員のタグＩＤを受信し、そのタグＩＤをアンテナＩＤとともに管理サーバ３に送信する（Ｓ８０１）。管理サーバ３は、アンテナＡＷからタグＩＤ及びアンテナＩＤを受信する（Ｓ８０２）。アンテナＩＤにより洗面台Ｗに設置されたアンテナＡＷから受信したことが分かるので、念のため、当該社員の体温に問題がないか否かを確認する。すなわち、記憶部３５の社員データ３５Ａのうち、当該社員ＩＤ３５Ａ１（タグＩＤ）に対応する体温フラグ３５Ａ４がオンになっているか否かを判定する（Ｓ８０３）。
【００３８】
体温フラグ３５Ａ４がオンになっていれば（Ｓ８０３のＹ）、管理サーバ３は、手洗いに誘導すべき旨のメッセージをアンテナＡＷに送信する（Ｓ８０４）。アンテナＡＷは、管理サーバ３から手洗い誘導メッセージを受信し（Ｓ８０５）、洗面台Ｗに設置された表示板Ｄ３に手洗い誘導のメッセージを表示する（Ｓ８０６）。手洗い誘導のメッセージは、例えば、「洗面台で手洗いをしましょう。」といった内容である。
【００３９】
体温フラグ３５Ａ４がオンになっていなければ（Ｓ８０３のＮ）、管理サーバ３は、警告する旨のメッセージをアンテナＡＷに送信する（Ｓ８０７）。アンテナＡＷは、管理サーバ３から警告メッセージを受信し（Ｓ８０８）、洗面台Ｗに設置された表示板Ｄ３に警告のメッセージを表示する（Ｓ８０９）。警告のメッセージは、例えば、「体温のチェックのため、一旦退館した後、再度入館しましょう。」といった内容である。
【００４０】
なお、洗面台Ｗは、センサＷ４２及びＷ５２の検知内容に応じて手洗い済メッセージを管理サーバ３に送信する。例えば、センサＷ４２が人の手を検知した後、センサＷ５２が人の手を設定時間以上（例えば１５秒以上）継続して検知したときに手洗い済と認識する。換言すれば、社員が石鹸水を使った後、設定時間以上（例えば１５秒以上）続けて水で手を洗った場合である。このとき、水栓Ｗ５は、センサＷ５２から手を離したら、蛇口Ｗ５１から出る水がすぐに止まるような自動水栓になっているものとする。なお、社員が石鹸水を使う時間をチェックするようにしてもよい。例えば、センサＷ４２が人の手を所定時間以上継続して検知したときに石鹸水を使用したと認識する。
【００４１】
管理サーバ３は、洗面台Ｗから手洗い済メッセージを受信する（Ｓ８１０）とともに、
アンテナＡＷから当該社員のタグＩＤを受信する。そして、記憶部３５の社員データ３５Ａのうち、当該社員ＩＤ３５Ａ１（タグＩＤ）に対応する手洗いフラグ３５Ａ５を設定する（Ｓ８１１）。
【００４２】
また、画像認識用カメラＣ２は、ゲートＧ４に接近する社員の顔の画像データを取得し、管理サーバ３から当該社員の顔画像データを取得し、接近する社員がマスクを着用しているか否かを判定する。マスクを着用していれば、管理サーバ３にマスク着用メッセージを送信する。このために、管理サーバ３は、アンテナＡ４からタグＩＤを受信し、記憶部３５の社員データ３５Ａのうち、当該社員ＩＤ３５Ａ１（タグＩＤ）に対応する顔画像データ３５Ａ２を送信する。
【００４３】
管理サーバ３は、画像認識用カメラＣ２からマスク着用メッセージを受信する（Ｓ８１２）。この際、アンテナＡ４から当該社員のタグＩＤを受信するものとする。そして、記憶部３５の社員データ３５Ａのうち、当該社員ＩＤ３５Ａ１（タグＩＤ）に対応するマスクフラグ３５Ａ６を設定する（Ｓ８１３）。
【００４４】
なお、画像認識用カメラＣ２の代わりに、マスク着用を確認する簡易な方法として、人に「マスクをしていますか？」と問いかけて、「はい。」という返事があったら、管理サーバ３にマスク着用メッセージを送信する音声応答認識装置を用いてもよい。また、「マスクをしていますか？」というメッセージを表示し、次に続く「ＯＫならば手をかざしてください。」というメッセージに対して、例えば、人に右手を挙げさせるようにし、その右手を赤外線で検知する等の方法を用いてもよい。
【００４５】
図９は、アンテナＡ３〜Ａ６に係る入場管理システム１の処理を示す。まず、アンテナＡ４は、第２中間領域ＭＡ２において、ゲートＧ４に接近する社員のタグＩＤを受信し、そのタグＩＤをアンテナＩＤとともに管理サーバ３に送信する（Ｓ９０１）。管理サーバ３は、アンテナＡ４からタグＩＤ及びアンテナＩＤを受信する（Ｓ９０２）。アンテナＩＤにより、内部領域ＩＡに通じるゲートＧ４に設置されたアンテナＡ４から受信したことが分かるので、当該社員がすべてのチェックをクリアしているか否かを確認する。すなわち、記憶部３５の社員データ３５Ａのうち、当該社員ＩＤ３５Ａ１（タグＩＤ）に対応する体温フラグ３５Ａ４、手洗いフラグ３５Ａ５及びマスクフラグ３５Ａ６がすべてオンになっているか否かを判定する（Ｓ９０３）。
【００４６】
３個のフラグがすべてオンであれば（Ｓ９０３のＹ）、管理サーバ３は、ゲートＧ４を通過できる旨のメッセージをアンテナＡ４に送信する（Ｓ９０４）。アンテナＡ４は、管理サーバ３から通過可能メッセージを受信し（Ｓ９０５）、ゲートＧ４を開放するように、例えば、自動ドアの制御装置に指示する（Ｓ９０６）。これにより、すべてのチェックをクリアした社員がゲートＧ４を通って内部領域ＩＡに入室することができる。
【００４７】
一方、３個のフラグのすべてがオンではない（すなわち、少なくとも１個がオフである）場合には（Ｓ９０３のＮ）、管理サーバ３は、ゲートＧ４を通過できない旨のメッセージをアンテナＡ４に送信する（Ｓ９０７）。このとき、オンになっていないフラグを示すデータを付加する。アンテナＡ４は、管理サーバ３から通過不可メッセージを当該データとともに受信し、ゲートＧ４に設置された表示板Ｄ４に通過不可のメッセージを表示する。通過不可のメッセージは、手洗いフラグがオンになっていない場合には、例えば、「手を洗っていないので、入れません。」といった内容である。これにより、病原体が内部領域ＩＡに入るのを防ぐことができる。また、マスクフラグがオンになっていない場合には、例えば、「マスクをしていないので、入れません。」といった内容である。これにより、病原体が内部領域ＩＡの中で広がるのを防ぐことができる。（例えば新型インフルエンザウィルスの場合、マスク無しでせきやくしゃみをすると、ウィルスを含む飛沫が１〜２ｍ程度以内の箇所に飛ぶと考えられる。）
次に、退館するためのゲートＧ３、Ｇ５、Ｇ６にそれぞれ設置されているアンテナＡ３、Ａ５、Ａ６に係る処理について説明する。アンテナＡ３は、ゲートＧ３に接近する社員のタグＩＤを受信する（Ｓ９１０）と、ゲートＧ３を開放するように、例えば、自動ドアの制御装置に指示する（Ｓ９１１）。そして、受信したタグＩＤ及び自らのアンテナＩＤを管理サーバに送信する（Ｓ９１２）。Ｓ９１０〜Ｓ９１２の処理は、アンテナＡ５及びＡ６においても同様に行われる。
【００４８】
管理サーバ３は、アンテナＡ３、Ａ５又はＡ６からタグＩＤ及びアンテナＩＤを受信する（Ｓ９１３）。そして、アンテナＩＤにより、退館するためのゲートに設置されたアンテナから受信したことが分かるので、当該社員が退館することを認識し、記憶部３５の社員データ３５Ａのうち、当該社員ＩＤ３５Ａ１（タグＩＤ）に対応する認証フラグ３５Ａ３、体温フラグ３５Ａ４、手洗いフラグ３５Ａ５及びマスクフラグ３５Ａ６をクリアする（Ｓ９１４）。なお、アンテナＩＤに応じて、オンになっているはずのフラグだけをクリアするようにしてもよい。例えば、アンテナＡ３から受信した場合には、認証フラグ３５Ａ３をクリアする。
【００４９】
以上本発明の実施の形態について説明したが、図１に示す管理サーバ３内の各部を機能させるために、処理部３４で実行されるプログラムをコンピュータにより読み取り可能な記録媒体に記録し、その記録したプログラムをコンピュータに読み込ませ、実行させることにより、本発明の実施の形態に係る入場管理システム１が実現されるものとする。なお、プログラムをインターネット等のネットワーク経由でコンピュータに提供してもよいし、プログラムが書き込まれた半導体チップ等をコンピュータに組み込んでもよい。
【００５０】
以上説明した本発明の実施の形態によれば、体温が問題なく、水及び石鹸水により手洗いを行い、マスクを着用している人だけを入室させるので、病原体が建物や部屋の中に侵入するのを防止することができる。
【００５１】
≪その他の実施の形態≫
以上、本発明を実施するための最良の形態について説明したが、上記実施の形態は本発明の理解を容易にするためのものであり、本発明を限定して解釈するためのものではない。本発明はその趣旨を逸脱することなく変更、改良され得るとともに、本発明にはその等価物も含まれる。例えば、以下のような実施の形態が考えられる。
【００５２】
（１）上記実施の形態では、管理サーバ３の記憶部３５に各チェックによるフラグを設定するように記載したが、管理サーバ３ではなく、ＩＣタグ２の記憶部２３に各フラグを書き込むようにしてもよい。この場合、記憶部２３が、ＩＣタグ２を携帯する社員に固有のデータとして、タグＩＤ（社員ＩＤ）に加えて、認証フラグ、体温フラグ、手洗いフラグ及びマスクフラグを記憶する。そして、各ゲートに設置されたアンテナが、管理サーバ３、洗面台Ｗ及び画像認識用カメラＣ２からのメッセージを受信し、そのメッセージに応じたフラグをＩＣタグ２の記憶部２３に設定する。
【００５３】
（２）上記実施の形態では、社員がＩＣタグ２を携帯することにしたが、ＩＣタグ２を携帯せず、ＩＣタグ２のタグＩＤの代わりに各社員の生体情報（例えば、指紋や静脈のパターン）を個人識別情報として用いること（生体認証）により、ゲートＧ１において本人確認を行ってもよい。
【００５４】
（３）上記実施の形態では、ゲートＧ１及びＧ２を設置し、第１中間領域ＭＡ１及び第２中間領域ＭＡ２を設けたが、ゲートＧ１及びＧ２を設置することなく、最終的なゲートＧ４だけを設置し、各チェックによるフラグの確認だけで内部領域ＩＡへの入室管理を行うようにしてもよい。
【００５５】
（４）上記実施の形態では、フラグで入室管理を行うようにしたが、各チェック結果がＯＫであれば、フラグを記憶することなく、その都度各ゲートを開放するようにしてもよい。
【００５６】
（５）上記実施の形態では、最初に個人認証を行ったが、体温チェック及び手洗いチェックには必ずしも個人識別情報が要らないので、最初に体温チェック及び手洗いチェックを行ってから、個人認証を行うようにしてもよい。
【００５７】
（６）上記実施の形態では、体温、手洗い及びマスク着用の３条件を満たすことにより、内部領域ＩＡへの入室が可能になったが、体温だけの１条件、又は、体温及び手洗い、若しくは、体温及びマスク着用の２条件を満たせば、内部領域ＩＡへの入室を可能とするようにしてもよい。
【００５８】
（７）上記実施の形態では、１台の赤外線カメラＣ１を第１中間領域ＭＡ１だけに設置したが、赤外線カメラＣ１を建物内部の随所に設置し、社員の体温を常時監視するようにしてもよい。
【図面の簡単な説明】
【００５９】
【図１】入場管理システム１の構成を示す図である。
【図２】洗面台Ｗの構成を示す図であり、（ａ）は洗面台Ｗの正面図を示し、（ｂ）は洗面台Ｗの側面図を示す。
【図３】画像認識用カメラＣ２が取得する人の顔の画像データを示す図であり、（ａ）はマスクを着用していない人の顔画像を示し、（ｂ）はマスクを着用している人の顔画像を示す。
【図４】ＩＣタグ２のハードウェア構成を示す図である。
【図５】管理サーバ３のハードウェア構成を示す図である。
【図６】管理サーバ３の記憶部３５に記憶されるデータの構成を示す図である。
【図７】アンテナＡ１及びＡ２に係る入場管理システム１の処理を示すフローチャートである。
【図８】アンテナＡＷに係る入場管理システム１の処理を示すフローチャートである。
【図９】アンテナＡ３〜Ａ６に係る入場管理システム１の処理を示すフローチャートである。
【符号の説明】
【００６０】
Ａ１〜Ａ６、ＡＷ  アンテナ
Ｃ１  赤外線カメラ
Ｃ２  画像認識用カメラ（マスク着用判定手段）
Ｇ１〜Ｇ６  ゲート
Ｗ  洗面台（手洗い設備）
Ｗ２  鏡
１  入場管理システム
２  ＩＣタグ
３  管理サーバ
３４  処理部（制御手段、マスク着用判定手段）
３５  記憶部
３５Ａ１  社員ＩＤ
３５Ａ２  顔画像データ
３５Ａ４  体温フラグ
３５Ａ５  手洗いフラグ
３５Ａ６  マスクフラグ
【図１】
2010128976.tif 000003
【図２】
2010128976.tif 000004
【図３】
2010128976.tif 000005
【図４】
2010128976.tif 000006
【図５】
2010128976.tif 000007
【図６】
2010128976.tif 000008
【図７】
2010128976.tif 000009
【図８】
2010128976.tif 000010
【図９】
2010128976.tif 000011